(57)【要約】【課題】加熱室において十分な照度を確保することができる加熱調理器を提供する。【解決手段】本発明の加熱調理器は、加熱室と、前記加熱室の内部に光を照射する照射部と、前記加熱室の内部に設けられ、前記照射部から照射される光が内部に入射する入射部と、前記入射部に入射した光を前記加熱室の内部に拡散させる出射部と、を含んで構成される少なくとも１つの導光部材と、を備える。【選択図】図２
2020176763.tif 000002
【特許請求の範囲】
【請求項１】
加熱室と、
前記加熱室の内部に光を照射する照射部と、
前記加熱室の内部に設けられ、前記照射部から照射される光が内部に入射する入射部と、前記入射部に入射した光を前記加熱室の内部に拡散させる出射部と、を含んで構成される少なくとも１つの導光部材と、を備える加熱調理器。
【請求項２】
前記出射部は、前記加熱室の内壁に沿って伸びるように設けられる、請求項１に記載の加熱調理器。
【請求項３】
前記出射部は、前記入射部に入射した光を前記加熱室の内部に拡散させる２つの拡散面を有し、前記２つの拡散面のなす断面形状がＶ字状に形成される、請求項２に記載の加熱調理器。
【請求項４】
前記照射部から照射される光を前記入射部に案内するガイド部材をさらに備える請求項１から請求項３の何れか一項に記載の加熱調理器。
【請求項５】
前記導光部材は、前記加熱室の天面に沿って設けられる請求項１から請求項４の何れか一項に記載の加熱調理器。
【請求項６】
前記加熱室を上下に仕切る加熱トレイを備え、
前記導光部材は、前記加熱トレイの底面に沿って設けられる請求項１から請求項５の何れか一項に記載の加熱調理器。
【発明の詳細な説明】
【技術分野】
【０００１】
本発明は加熱調理器に関する。
【背景技術】
【０００２】
例えば、特許文献１には、調理室の室外にＬＥＤ光源からなる照明手段が設けられる加熱調理器が開示されている。照明手段は、室外側方に配設され、調理室の内部に向けて光を出射するように構成されている。このように、調理室の室外に照明手段が設けられることで、調理室の温度上昇によるＬＥＤ光源に対する熱的影響を低減することを可能としている。
【先行技術文献】
【特許文献】
【０００３】
【特許文献１】特開２０１７−２１１１２０号公報
【発明の概要】
【発明が解決しようとする課題】
【０００４】
上述のような加熱調理器において、照射部（照明手段）は加熱室（調理室）の外部に設けられているため、被調理物への照度が不足し、加熱室の内部を十分に視認できない場合があった。さらには、照射部が加熱室の側方に設けられている場合、照射部から離れた位置にある被調理物への照度が不足し、被調理物の加熱状況を十分に視認することができない場合があった。
【０００５】
上記の問題点に鑑み、本発明は、一例として、照射部が加熱室の外部にあったとしても、加熱室において十分な照度を確保することができる加熱調理器を提供することを目的とする。
【課題を解決するための手段】
【０００６】
本発明の一態様に係る加熱調理器は、加熱室と、前記加熱室の内部に光を照射する照射部と、前記加熱室の内部に設けられ、前記照射部から照射される光が内部に入射する入射部と、前記入射部に入射した光を前記加熱室の内部に拡散させる出射部と、を含んで構成される少なくとも１つの導光部材と、を備える。
【図面の簡単な説明】
【０００７】
【図１】（ａ）は、本発明の実施形態１に係る加熱調理器を示す正面図である（ｂ）は、本発明の実施形態１に係る加熱調理器の扉を開いた状態を示す正面図である。
【図２】（ａ）は、図１における加熱調理器の加熱室の内部を示す正面模式図である（ｂ）は、図１における加熱調理器の加熱室の内部を示す側面模式図である。
【図３】（ａ）は、図１における加熱調理器の照明装置を構成する照射部及び導光部材の配置を示す一部拡大断面図である（ｂ）は、図１における加熱調理器の照明装置を構成する照射部及び導光部材の配置を示す一部拡大側面図である。
【図４】（ａ）は、本発明の実施形態２に係る加熱調理器を構成する加熱トレイの正面図である（ｂ）は、本発明の実施形態２に係る加熱調理器を構成する加熱トレイの側面図である（ｃ）は、本発明の実施形態２に係る照明装置を構成する導光部材の別実施形態を示す加熱トレイの側面図である。
【図５】（ａ）は、本発明の実施形態２に係る加熱調理器の加熱室の内部を示す正面模式図である（ｂ）は、本発明の実施形態２に係る加熱調理器の加熱室の内部を示す側面模式図である。
【図６】本発明の実施形態２に係る加熱調理器の照明装置を構成するガイド部材を示す一部拡大断面図である。
【図７】（ａ）は、本発明の実施形態３に係る加熱調理器の加熱室の内部を示す正面模式図である（ｂ）は、本発明の実施形態３に係る加熱調理器の加熱室の内部を示す側面模式図である（ｃ）は、本発明の実施形態３に係る加熱調理器の照明装置を構成する照射部及び導光部材の配置を示す一部拡大断面図である。
【図８】（ａ）は、本発明の実施形態４に係る加熱調理器の加熱室の内部を示す正面模式図である（ｂ）は、本発明の実施形態４に係る加熱調理器の加熱室の内部を示す側面模式図である。
【発明を実施するための形態】
【０００８】
以下、図面を参照しつつ、本発明の各実施の形態について説明する。なお、本明細書及び図面において、同一又は同等の要素には同一の符号を付することにより重複する説明は省略し、また、本発明に直接関係のない要素は図示を省略する場合がある。さらに、かかる実施の形態に示す構成要素の形態はあくまでも例示であって、これらの形態に限定されるものではない。
【０００９】
（第１の実施形態）
図１を参照して、本発明の実施形態１に係る加熱調理器１００について説明する。図１（ａ）は、本発明の実施形態１に係る加熱調理器１００を示す正面図である。図１（ｂ）は、本発明の実施形態１に係る加熱調理器１００の扉１２０を開いた状態を示す正面図である。以下の説明では、加熱調理器１００において、扉１２０が設けられる面を前面又は正面と称し、正面と対向している加熱調理器１００の面を後面又は背面と称する。また、加熱調理器１００の右側とは、加熱調理器１００を正面から見たときの右側を意味し、加熱調理器１００の左側とは、加熱調理器１００を正面から見たときの左側を意味する。
【００１０】
図１（ａ）に示すように、加熱調理器１００は、ケーシング１１０と、ケーシング１１０の前面側に取り付けられる扉１２０と、を備える。ケーシング１１０の内部には、被調理物Ｆを収容して加熱する加熱室１３０が形成される。加熱調理器１００は、ヒータ等の加熱手段を有し、加熱室１３０に収容される被調理物Ｆを加熱するオーブン機能を有している。また、加熱調理器１００は、高周波を出力するマグネトロン等の加熱手段を有し、加熱室１３０に収容される被調理物Ｆを加熱するレンジ機能を有している。さらに、加熱室１３０は、給水された水を加熱して、水蒸気を発生させる蒸気発生手段を備え、加熱室１３０内に水蒸気を発生させて、被調理物Ｆを加熱する蒸気加熱機能を有している。
【００１１】
扉１２０は、加熱室１３０の内部を視認可能な窓部１２１と、扉１２０を開閉するハンドル１２２と、加熱調理器１００を操作する操作部１２３と、を備える。窓部１２１は、扉１２０の前面中央に設けられる開口部を、耐熱ガラス等によって覆うことで形成されている。また、窓部１２１には、外部に電波が漏れないようにするためのシールド部材（例えば、金属メッシュ、パンチングメタル等）が取り付けられている。ハンドル１２２は、扉１２０の外側に設けられ、扉１２０の下部を支点として回動させるためのものである。操作部１２３は、ボタン、スイッチ、パネル等から構成され、扉１２０の前面の右端側、具体的には、窓部１２１の右側に上下にわたって配置されている。
【００１２】
図１（ｂ）に示すように、加熱室１３０は、扉１２０によって開閉される開口１３０ａを正面側に有する。また、加熱室１３０の内壁（右側面１３０ｂ、左側面１３０ｃ、後面１３０ｄ、底面１３０ｅ及び天面１３０ｆ）は、ステンレス鋼板からなっている。ユーザは、開口１３０ａを通して、加熱室１３０に被調理物Ｆを入れたり、加熱室１３０から被調理物Ｆを出したりする。加熱室１３０の周囲には断熱材を配置して、加熱室１３０内と外部とを断熱している。
【００１３】
図２及び図３を用いて、照明装置２００について説明する。図２（ａ）は、加熱調理器１００の加熱室１３０の内部を示す正面模式図である。図２（ｂ）は、加熱調理器１００の加熱室１３０の内部を示す側面模式図である。図３（ａ）は、照明装置２００の照射部２１０及び導光部材２２０の配置を示す一部拡大断面図である。図３（ａ）は、透光領域２１３を通り、加熱室１３０を前後に分断する平面できった断面図である。図３（ｂ）は、照明装置２００の照射部２１０及び導光部材２２０の配置を示す一部拡大側面図である。照明装置２００は、加熱室１３０に収容される被調理物Ｆを照らすためのものである。照明装置２００は、主として、加熱室１３０の内部に光を照射する照射部２１０と、加熱室１３０の内部に設けられ、照射部２１０により照射される光を拡散する導光部材２２０と、を備える。
【００１４】
図２（ａ）に示すように、照射部２１０は、加熱室１３０の外部に設けられる。加熱室１３０の外部とは、ケーシング１１０内で、かつ、加熱室１３０の内壁よりも外側を指す。照射部２１０は、一例として、加熱室１３０の右側面１３０ｂの外方に配置されている。
【００１５】
図３（ａ）に示すように、照射部２１０は、光源２１１と、光源２１１から照射される光を屈曲させるレンズ２１２と、を備える。光源２１１は、一例として、ＬＥＤ光源からなる。レンズ２１２は、光源２１１の照射側において、光源２１１と対向するように配置される。レンズ２１２は、光源２１１から照射される光を所定の方向（後述の導光部材２２０の入射部２２１）に向けて出射させる光学特性を有している。
【００１６】
これにより、光源２１１からの光を効率よく所望の方向に照射することができる。なお、照射部２１０は、光源２１１と、レンズ２１２と、から構成されているが、これに限らず、光源２１１のみを用いて構成してもよい。また、光源２１１からの光を所望の方向に照射するために、レンズ２１２を用いているが、これに限らず、例えば、光源２１１を覆うカバーにおいて光源２１１からの光を反射させることで、所望の方向に光を照射させるように構成してもよい。
【００１７】
図３（ａ）に示すように、照射部２１０は、加熱室１３０の右側面１３０ｂに設けられる透光領域２１３を介して加熱室１３０の内部に光を照射している。透光領域２１３とは、加熱室１３０の内壁に設けられ、照射部２１０から照射される光を加熱室１３０の内部に導くためのものである。透光領域２１３は、一例として、開口部からなる。透光領域２１３には、外部に電波が漏れないようにするためのシールド部材（図示せず）が取り付けられている。なお、透光領域２１３は、開口部から形成されているが、これに限らず、内壁の一部が透光部材からなるように構成されてもよい。
【００１８】
図２に示すように、導光部材２２０は、照射部２１０から照射される光を拡散させるためのものである。導光部材２２０は、耐熱性があり、かつ、光を透過させることのできる材料で形成されている。導光部材２２０は、例えば、透光性を有する耐熱性のガラスや樹脂を成形して形成される。
【００１９】
導光部材２２０は、一例として、棒状部材からなる。導光部材２２０は、天面１３０ｆに沿って設けられる。導光部材２２０は、長手方向が、左右方向となるように配置される。すなわち、導光部材２２０の長手方向が、照射部２１０による照射方向となるように配置されている。より具体的には、導光部材２２０は、天面１３０ｆの前後方向における中央に、左右方向を長手方向として配置されている。
【００２０】
図３に示すように、導光部材２２０は、照射部２１０から照射される光を内部に入射する入射部２２１と、入射部２２１に入射した光を加熱室１３０の内部に拡散させる出射部２２２と、を含んで構成される。入射部２２１は、一例として、導光部材２２０の端面からなる。出射部２２２は、一例として、導光部材２２０の外周面からなる。
【００２１】
図３（ａ）に示すように、入射部２２１は、照射部２１０と対向して設けられる。具体的には、照射部２１０と、入射部２２１とは、透光領域２１３を間に挟んで対向して設けられている。ここでは、図３（ｂ）に示すように、照射方向から見て、導光部材２２０の外形内に、照射部２１０の光源２１１が収まるように配置されている。
【００２２】
出射部２２２は、加熱室１３０の内壁に沿って伸びるように形成される。ここでは、加熱室１３０の天面１３０ｆに沿って左右方向に伸びるように形成される。出射部２２２は、一例として、２つの拡散面２２２ａを有し、２つの拡散面２２２ａのなす断面形状がＶ字状に形成される。２つの拡散面２２２ａの上端部は、平面状に形成されることで、導光部材２２０は、断面形状が逆三角形状に形成される。拡散面２２２ａは、被調理物Ｆが載置される面（例えば、底面１３０ｅ）に対して傾斜するように形成される。各拡散面２２２ａの傾斜角度は、加熱室１３０の大きさ、形状等に応じて設定される。
【００２３】
以上の構成において、照射部２１０から照射される光は、透光領域２１３を介して入射部２２１に入射されたのち、出射部２２２を構成する２つの拡散面２２２ａを介して出射される。
【００２４】
以上のように、導光部材２２０が照射部２１０から照射される光を、加熱室１３０の内部において拡散することで、被調理物Ｆへの照度を十分に確保することができる。また、導光部材２２０の出射部２２２が、加熱室１３０の内壁に沿って伸びるように設けられることで、配光範囲を広くすることができる。また、出射部２２２が、２つの拡散面２２２ａを有し、２つの拡散面２２２ａのなす断面形状がＶ字状に形成されることで、導光部材２２０の下方だけでなく、斜め下方（側方側）に向けて光を照射することができる。ゆえに、被調理物Ｆへの照度を十分に確保することができる。さらに、導光部材２２０が天面１３０ｆに沿って設けられることで、被調理物Ｆを均一に照らすことができる。
【００２５】
なお、加熱調理器１００では、照射部２１０が加熱室１３０の側方に配置されているが、これに限らず、加熱室１３０の上方に配置してもよい。この場合、透光領域２１３は、加熱室１３０を構成する天面１３０ｆに設けられ、天面１３０ｆと対向する導光部材２２０の外周面が入射部２２１として形成される。また、加熱調理器１００では、導光部材２２０が加熱室１３０の天面１３０ｆに沿って設けられているが、これに限らず、加熱室１３０の右側面１３０ｂ、左側面１３０ｃ、後面１３０ｄ、底面１３０ｅ等に沿って設けられてもよい。
【００２６】
（第２の実施形態）
図４から図６までを用いて、第１の実施形態と異なる構成の加熱調理器１００ａの照明装置３００について説明する。図４（ａ）は、本発明の実施形態２に係る加熱調理器１００ａを構成する加熱トレイ１４０の正面図である。図４（ｂ）は、本発明の実施形態２に係る加熱調理器１００ａを構成する加熱トレイ１４０の側面図である。図４（ｃ）は、本発明の実施形態２に係る照明装置３００を構成する導光部材３２０の形状の別実施形態を示す加熱トレイ１４０の側面図である。図５（ａ）は、本発明の実施形態２に係る加熱調理器１００ａの加熱室１３０の内部を示す正面模式図である。図５（ｂ）は、本発明の実施形態２に係る加熱調理器１００ａの加熱室１３０の内部を示す側面模式図である。図６は、本発明の実施形態２に係る加熱調理器１００ａの照明装置３００を構成するガイド部材３３０を示す一部拡大断面図である。図６は、透光領域３１３を通り、加熱室１３０を前後に分断する平面できった断面図である。
【００２７】
図４を用いて、加熱室１３０の内部に設けられる加熱トレイ１４０について説明する。加熱室１３０の内部には、加熱室１３０の底面から所定の間隔をあけて鉄等の金属製あるいはセラミック製の加熱トレイ１４０が置かれている。加熱トレイ１４０は、上面が開口された有底状の容器である。加熱トレイ１４０は、底面１４０ａの端部を加熱調理器１００ａの側面に設けられるトレイ支持部１５０（図１（ｂ）参照）に支持させることで、加熱室１３０に設置される。加熱トレイ１４０には、鉄等の金属製の調理網が載置され、調理網上に被調理物Ｆが置かれ、ヒータ等による加熱が行われる。以上のように、加熱トレイ１４０が設置されると、加熱室１３０の内部は上下に仕切られる。
【００２８】
加熱トレイ１４０には、底面１４０ａに沿って後述の導光部材３２０が設けられる。導光部材３２０は、一例として、棒状部材からなる。導光部材３２０は、長手方向が、左右方向となるように配置される。より具体的には、導光部材３２０は、底面１４０ａの前後方向における中央に、左右方向を長手方向として配置されている。ここでは、導光部材３２０の長手方向が、後述の照射部３１０の照射方向となるように配置される。
【００２９】
また、加熱トレイ１４０は、底面１４０ａに脚部１４０ｂを複数（例えば、４つ）備える。脚部１４０ｂは、例えば、一枚の板金をＬ字状に屈曲して形成される板状部材である。脚部１４０ｂは、一端部が加熱トレイ１４０の底部に固定され、他端部が加熱トレイ１４０を支えるための支持部として構成される。脚部１４０ｂは、これに限らず、加熱トレイ１４０を安定して載置するためのものであればよい。
【００３０】
脚部１４０ｂは、加熱トレイ１４０の底面１４０ａにおいて、左右方向における各端部に前後方向に沿って設けられている。導光部材３２０に光を照射することができるように、脚部１４０ｂは、側面から見て、導光部材３２０を間に挟んで前後にそれぞれ配置されている。
【００３１】
脚部１４０ｂの長さ（底面１４０ａからの突出長）は、導光部材３２０の長さ（底面１４０ａからの突出長）よりも大きくなるように構成される。これにより、導光部材３２０の形状に関わらず、加熱トレイ１４０を安定して置くことができる。
【００３２】
図５を用いて、加熱調理器１００ａの照明装置３００について説明する。照明装置３００は、複数の導光部材を含んで構成される。照明装置３００は、加熱室１３０の上部空間を主として照らす照射部２１０及び導光部材２２０と、加熱室１３０の下部空間を主として照らす照射部３１０及び導光部材３２０と、を備える。上部空間とは、加熱室１３０における加熱トレイ１４０より上側の空間を指す。下部空間とは、加熱室１３０における加熱トレイ１４０より下側の空間を指す。
【００３３】
加熱室１３０の上部空間を照らす照射部２１０及び導光部材２２０は、照明装置２００と同様の構成であるため、詳細な説明は省略する。照射部２１０及び導光部材２２０は、加熱室１３０の右側面１３０ｂの上部に設けられる透光領域２１３を間に挟んで対向して設けられ、加熱室１３０の側方から照射される光を、加熱室１３０の天面１３０ｆに沿って設けられる導光部材２２０によって加熱室１３０の上部空間に拡散させている。
【００３４】
加熱室１３０の下部空間を照らす照射部３１０及び導光部材３２０は、照明装置２００とは配置箇所が異なる。加熱室１３０の右側面１３０ｂには、加熱トレイ１４０が設けられる高さ位置に透光領域３１３（図６参照）が形成される。照射部３１０及び導光部材３２０は、透光領域３１３を間に挟んで対向して設けられ、加熱室１３０の側方から加熱室１３０の内部に照射される光を、加熱トレイ１４０の底面１４０ａに沿って設けられる導光部材３２０によって加熱室１３０の下部空間に拡散させている。
【００３５】
なお、導光部材３２０は、導光部材２２０と同様の形状及び機能を有しており、導光部材３２０の端面が入射部３２１（図６参照）として構成され、導光部材３２０の外周面が出射部３２２（図６参照）として構成される。これにより、入射部３２１から入射した光を、出射部３２２から加熱室１３０の内部に拡散することができる。
【００３６】
以上のように、加熱トレイ１４０の底面１４０ａに沿って導光部材３２０が設けられることで、加熱トレイ１４０によって加熱室１３０が上下に仕切られたとしても、被調理物Ｆへの照度を十分に確保することができる。
【００３７】
また、加熱調理器１００ａは、加熱トレイ１４０を加熱室１３０の内部に設置した場合にのみ、照射部３１０を点灯させるように制御してもよい。例えば、トレイ支持部１５０に加熱トレイ１４０が設置されたことを検知するセンサ等を設け、当該センサが加熱トレイ１４０の設置を検知した場合にのみ、照射部３１０を点灯させるように制御するように構成される。これにより、加熱トレイ１４０が設置されていない場合に、照射部３１０を点灯させることを防止することができ、省エネである。
【００３８】
図６を用いて、照射部３１０から照射される光を導光部材３２０の入射部３２１に案内するガイド部材３３０について説明する。ガイド部材３３０は、例えば、金属製の筒状の部材からなる。ガイド部材３３０は、加熱室１３０の内部において、導光部材３２０の端面（入射部３２１）と、加熱室１３０の壁面（透光領域３１３）との間に隙間が空いている場合に用いられる。ガイド部材３３０は、加熱トレイ１４０の底面１４０ａ又は加熱室１３０の内壁等に取り付けられる。導光部材３２０は、一例として、ガイド部材３３０に挿入して取り付けられる。これにより、照射部３１０から導光部材３２０に効率よく照射することができる。
【００３９】
なお、導光部材３２０は、断面形状が三角形状に構成されているが、これに限らず、例えば、図４（ｃ）に示すように、下端部を平面状に形成して断面形状が台形状となるように構成してもよい。これにより、導光部材３２０の下端部が平面状に形成されるため、導光部材３２０の衝突による破損を抑制することができる。また、導光部材３２０は、入射部３２１と、加熱室１３０の内壁（右側面１３０ｂ）との間に、ガイド部材３３０を設けているが、これに限らず、第１の実施形態の導光部材２２０のように、入射部３２１と、加熱室１３０の内壁と、を略密着させるように構成してもよい。
【００４０】
（第３の実施形態）
図７を用いて、第１の実施形態と異なる構成の加熱調理器１００ｂについて説明する。図７（ａ）は、本発明の実施形態３に係る加熱調理器１００ｂの加熱室１３０の内部を示す正面模式図である。図７（ｂ）は、本発明の実施形態３に係る加熱調理器１００ｂの加熱室１３０の内部を示す側面模式図である。図７（ｃ）は、本発明の実施形態３に係る加熱調理器１００ｂの照明装置４００を構成する照射部４１０及び導光部材４２０の配置を示す一部拡大断面図である。図７（ｃ）は、透光領域４１３を通り、加熱室１３０を上下に分断する平面できった断面図である。加熱調理器１００ｂでは、導光部材の形状が第１の実施形態と異なる。加熱調理器１００ｂは、照射部４１０と導光部材４２０とからなる照明装置４００を備える。
【００４１】
図７（ａ）及び図７（ｂ）に示すように、照射部４１０及び導光部材４２０は、加熱室１３０の右側面１３０ｂの上部に設けられる透光領域４１３（図７（ｃ）参照）を間に挟んで対向して設けられ、加熱室１３０の側方から照射される光を、加熱室１３０の天面１３０ｆに沿って設けられる導光部材４２０によって加熱室１３０の内部に拡散させている。
【００４２】
図７（ｃ）に示すように、照射部４１０は、加熱室１３０の右側面１３０ｂの外方に配置される。照射部４１０は、前後方向に複数並べて配置されている。透光領域４１３は、照射部４１０から照射される光を、加熱室１３０の内部に導入できるように、各照射部４１０に対応して前後方向に並べて形成される開口部からなる。
【００４３】
導光部材４２０は、一例として、略矩形状の導光板からなる。導光部材４２０は、加熱室１３０の天面１３０ｆの形状に合わせて形成される。導光部材４２０は、天面１３０ｆの大きさと略同一に形成されている。
【００４４】
導光部材４２０は、照射部４１０から照射される光を内部に入射する入射部４２１と、入射部４２１に入射した光を加熱室１３０の内部に拡散させる出射部４２２と、を含んで構成される。入射部４２１は、導光部材４２０の右側面からなる。出射部４２２は、導光部材４２０の底面からなる。これにより、照射部４１０から照射される光は、透光領域４１３を介して入射部４２１に入射されたのち、出射部４２２を介して出射される。ゆえに、被調理物Ｆへの照度を十分に確保することができる。
【００４５】
（第４の実施形態）
図８を用いて、第１の実施形態と異なる構成の加熱調理器１００ｃについて説明する。図８（ａ）は、本発明の実施形態４に係る加熱調理器１００ｃの加熱室１３０の内部を示す正面模式図である。図８（ｂ）は、本発明の実施形態４に係る加熱調理器１００ｃの加熱室１３０の内部を示す側面模式図である。加熱調理器１００ｃは、照射部５１０と導光部材５２０とガイド部材５３０とからなる照明装置５００を備える。加熱調理器１００ｃでは、照射部５１０の照射方向と、導光部材５２０の長手方向とが交差するように設けられている点が第１の実施形態と異なる。
【００４６】
照射部５１０は、加熱室１３０の右側面１３０ｂに形成される透光領域（図示せず）を介して加熱室１３０の内部に光を照射している。照射部５１０を構成する光源は、レーザ光源から構成されている。導光部材５２０は、導光部材２２０と同様の形状を有する棒状部材であり、断面形状が三角形状に形成される。導光部材５２０は、天面１３０ｆに沿って設けられる。具体的には、導光部材５２０は、長手方向が前後方向となるように配置され、天面１３０ｆの左右方向における中央に配置されている。
【００４７】
導光部材５２０は、照射部５１０から照射される光を内部に入射する入射部５２１と、入射部５２１に入射した光を加熱室１３０の内部に拡散させる出射部５２２と、を含んで構成される。出射部５２２は、導光部材２２０と同様に、２つの拡散面からなる。入射部５２１は、導光部材５２０の外周面のうち、照射部５１０の照射方向と交差する部分に形成される。すなわち、２つの拡散面のうち、照射部５１０と対向する側の拡散面に形成される。
【００４８】
図８（ａ）に示すように、加熱室１３０の右側面１３０ｂと、導光部材５２０の入射部５２１と、の間には、ガイド部材５３０が設けられる。ガイド部材５３０は、照射部５１０から照射される光を導光部材５２０の入射部５２１に案内している。ガイド部材５３０は、例えば、樹脂等からなる筒状の部材である。ガイド部材５３０は、例えば、加熱室１３０の天面１３０ｆ等に取り付けられ、加熱室１３０の右側面１３０ｂから、導光部材５２０の入射部５２１にかけて配置される。これにより、照射部５１０からの光を入射部５２１に案内している。
【００４９】
以上のように、ガイド部材５３０が設けられることで、照射部５１０から照射される光を導光部材５２０に案内することができる。ゆえに、加熱室１３０やケーシング１１０の構成上、照射部５１０と導光部材５２０とが離れて配置されていたとしても、被調理物Ｆへの照度を十分に確保することができる。
【００５０】
なお、導光部材は、棒状部材から構成されているが、これに限らず、例えば、内部に空間を有する筒状部材から構成してもよい。また、導光部材は、樹脂やガラス等を成形してなる棒状部材に限らず、光ファイバ等から構成してもよい。
【００５１】
なお、本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。
【符号の説明】
【００５２】
１００  加熱調理器、１００ａ  加熱調理器、１００ｂ  加熱調理器、１００ｃ  加熱調理器、１３０  加熱室、１４０  加熱トレイ、２１０  照射部、２２０  導光部材、２２１  入射部、２２２  出射部、２２２ａ  拡散面、３１０  照射部、３２０  導光部材、３２１  入射部、３２２  出射部、３３０  ガイド部材、４１０  照射部、４２０  導光部材、４２１  入射部、４２２  出射部、５１０  照射部、５２０  導光部材、５２１  入射部、５２２  出射部、５３０  ガイド部材
【図１】
2020176763.tif 000003
【図２】
2020176763.tif 000004
【図３】
2020176763.tif 000005
【図４】
2020176763.tif 000006
【図５】
2020176763.tif 000007
【図６】
2020176763.tif 000008
【図７】
2020176763.tif 000009
【図８】
2020176763.tif 000010